(57)【特許請求の範囲】
【請求項１】
ユニット式建物を形成する複数の建物ユニットの外壁材の間に形成されるとともに、バックアップ材およびコーキング剤で塞がれるユニット式建物の外壁目地構造であって、
前記外壁材には、前記建物ユニットへの取付けのために、上端面から裏面にかけて上方段付部が設けられ、この上方段付部の内部には、合成樹脂の発泡体から形成されるとともに、上端面が前記外壁材の上端面と同一平面であり、当該上方段付部に応じた形状の詰め物が設けられ、この詰め物の上方に配置される別の外壁材との間に、前記バックアップ材が介装されていることを特徴とするユニット式建物の外壁目地構造。
【請求項２】
請求項１に記載のユニット式建物の外壁目地構造において、前記外壁材には、下端面から裏面にかけて下方段付部が設けられ、前記骨組みには、水平方向へ突出する上方ブラケットおよび下方ブラケットが上下に間隔を置いて設けられ、前記上方ブラケットの下面に前記上方段付部を当接させるとともに、前記ブラケットの上面に前記下方段付部を当接させた状態で、前記外壁材が前記骨組みに取り付けられていることを特徴とするユニット式建物の外壁目地構造。
【請求項３】
請求項１または請求項２に記載のユニット式建物の外壁目地構造において、前記建物ユニットには、前記外壁材として、平面視で前記骨組みの角部に沿って設けられる、断面形状Ｌ字形のコーナー用外壁材が設けられていることを特徴とするユニット式建物の外壁目地構造。
【請求項４】
請求項１ないし請求項３のいずれかに記載のユニット式建物の外壁目地構造において、前記建物ユニットには、前記外壁材として、前記骨組みの端縁部分を覆うとともに、前記柱に沿って設けられる端縁用外壁材が設けられていることを特徴とするユニット式建物の外壁目地構造。
【発明の詳細な説明】
【０００１】
【発明の属する技術分野】
本発明は、箱状に形成された建物ユニットを複数組み合わせた際に、外壁材の間に形成される外壁目地構造に関する。
【０００２】
【背景技術】
従来より、工場で製造した箱状の建物ユニットを、建築現場で複数組み合わせることにより建築されるユニット式建物が利用されている。
ユニット式建物を形成する建物ユニットとしては、四隅の柱の上下端を天井梁および床梁で連結した直方体状のフレームを有するものが一般的である。
建物ユニットのフレームには、工場において、天井梁に支持される天井面材、床梁に支持される床面材および屋根を仕切る間仕切壁等の内装材、および軽量気泡コンクリート製の板（以下、「ＰＡＬＣ板」と略す）等からなる外壁材等が組つ付けられる。
このようなユニット式建物によれば、建物ユニットに対する内装材や外壁材の組付作業までが工場で行われ、後は、建物ユニット同士および一階の建物ユニットと基礎との固定作業を行うだけで、建物が完成するようになるので、建築現場での作業が大幅に削減され、建築工事を短期間で完了できるというメリットが得られる。
【０００３】
ここで、外壁材としては、コンクリート製の大判板状に形成された外壁材以外に、建物ユニットのコーナー部分に配置されるコーナー用外壁材や、建物ユニットの側面の端縁部分に配置される端縁用外壁材がある。
これらのコーナー用外壁材や端縁用外壁材は、比較的幅が狭く、これらを柱や梁に取り付けるにあたり、取付作業が困難となりやすいため、外壁材の上端面から裏面にかけて段付部を設け、この段付部に接合用ブラケットや接合用ボルトのヘッドを収納し、取付作業が容易に行えるようになっている。
また、これらの外壁材の間に形成される目地には、バックアップ材が介装され、このバックアップ材の上からコーキング剤が充填され、このコーキング剤で目地を封鎖する目地構造が形成されている（特開平9-217431号公報等参照）。
【０００４】
【発明が解決しようとする課題】
しかしながら、外壁材に段付部を設けると、外壁材の上端面にバックアップ材を配置するときに、バックアップ材が段付部に落ちてしまい、この後、目地処理用のコーキング剤を充填しようとすると、バックアップ材と、その上方のコーナー用外壁材、もしくは、端縁用外壁材との間に透き間が形成され、この透き間からコーキング剤が外壁材の後方に流れるため、コーキング剤の充填が困難になるという問題がある。
このような問題のある目地構造を改善するために、コーキング剤の充填が容易かつ確実に行える外壁目地構造が要望されている。
【０００５】
本発明の目的は、コーキング剤の充填が容易かつ確実に行えるようになる外壁目地構造を提供することである。
【０００６】
【課題を解決するための手段】
本発明は、図面をも参照して説明すると、ユニット式建物１を形成する複数の建物ユニット６，７の外壁材３２同士の間に形成されるとともに、バックアップ材Ｂおよびコーキング剤Ｃで塞がれるユニット式建物の外壁目地構造であって、前記外壁材３２には、前記建物ユニットへの取付けのために、上端面４４Ａから裏面４５にかけて上方段付部４６Ａが設けられ、この上方段付部４６Ａの内部には、合成樹脂の発泡体から形成されるとともに、一端面が前記外壁材の上端面と同一平面であり、当該上方段付部４６Ａに応じた形状の詰め物Ｆ１が設けられ、この詰め物Ｆ１の上方に配置される別の外壁材３２との間に、バックアップ材Ｂが介装されていることを特徴とする。
このような本発明では、外壁材３２の上方段付部４６Ａの内部に設けられた詰め物Ｆ１により、外壁材３２の上端面４４Ａが平坦となるので、上下に隣接する外壁材３２の間の目地の中にバックアップ材Ｂが留まり、このバックアップ材Ｂで目地の裏側からコーキング剤Ｃが抜け出ないように塞き止めることができる。このため、従来の目地構造における、段付部の内部にバックアップ材Ｂが落ち込んで、目地の裏側からコーキング剤Ｃが抜け出るといった目地処理上の不具合を防止できる。
【０００７】
以上において、外壁材３２には、下端面４４Ｂから裏面４５にかけて下方段付部４６Ｂが設けられ、骨組み２０には、水平方向へ突出する上方ブラケット４９Ａおよび下方ブラケット４９Ｂが上下に間隔を置いて設けられ、前記上方ブラケット４９Ａの下面に前記上方段付部４６Ａを当接させるとともに、前記下方ブラケット４９Ｂの上面に前記下方段付部４６Ｂを当接させた状態で、外壁材３２が骨組み２０に取り付けられていることが好ましい。
このようなブラケット４９Ａ，４９Ｂで外壁材３２を取り付ければ、ユニット式建物１自身の荷重が前記骨組み２０から外壁材３２へ伝達されず、かつ、地震などにより発生する外力で外壁材３２が水平方向へ移動する移動量も少なくなるので、目地を塞ぐコーキング剤Ｃが破壊されにくくなる。
【０００８】
また、建物ユニット６，７には、前記外壁材として、平面視で前記骨組みの角部に沿って設けられる、断面形状Ｌ字形のコーナー用外壁材３２が設けられていることが好ましい。
このようなコーナー用外壁材３２を採用すれば、建物ユニット６，７のコーナー部分においても、他の外壁材３０，３３と側端面同士が突き合わされるので、水平方向の外力により、外壁材３０，３３が多少振動しても、水平方向に延びる縦目地には剪断力が加わらず、多少の地震では、コーキング剤Ｃが破損しない縦目地が形成される。
これに対し、例えば、建物ユニットのコーナー部分において、平面視で一方の側面に設けられる外壁材が、他方の側面に設けられる外壁材に勝っている、すなわち、一方の外壁材の裏面に他方の外壁材の側端面を突き合わせることで、形成された縦目地では、水平方向の外力により、外壁材３１が多少振動すると、当該縦目地には剪断力が加わるので、地震でコーキング剤Ｃが破損しやすくなる。
【０００９】
さらに、建物ユニットには、前記外壁材として、前記骨組み２０の端縁部分を覆うとともに、前記柱２１に沿って設けられる端縁用外壁材３３が設けられていることが好ましい。
このような端縁用外壁材３３を使用すれば、平板状の標準的な外壁材の寸法を、最小寸法の建物ユニットに合わせて設定し、これよりも大きな建物ユニットに対しては、標準的な外壁材３０，３１に端縁用外壁材３３を継ぎ足して外壁の形成が可能となり、これにより、外壁材の種類が低減され、外壁材３０，３１の製造効率の向上が図れるようになる。
【００１０】
また、上述したように、詰め物Ｆ１は、合成樹脂の発泡体から形成されたものであることを特徴とする。このような剛性樹脂の発泡体Ｆで詰め物Ｆ１を形成すれば、合成樹脂の種類を適宜選択したり、発泡倍率を適宜選択することにより、上方段付部４６Ａに詰め込む作業が容易となる程度の柔軟性が確保されるとともに、上方段付部４６Ａの内部にバックアップ材Ｂが落ち込まない程度の硬さが確保された詰め物Ｆ１が得られるようになり、目地処理作業の作業性を損なわずに、目地の裏側からコーキング剤Ｃが抜け出るといった目地処理上の不具合を防止できる。
【００１１】
【発明の実施の形態】
以下、本発明の実施の形態を図面に基づいて説明する。
図１には、本実施形態に係るユニット式建物１が示されている。このユニット式建物１は、居室が内部に形成された建物本体２と、建物本体２の上に設けられた屋根５とを有している。
建物本体２は、一階部分の建物ユニット６と、二階部分の建物ユニット７を組み合わせて基礎８上に二層に積層配置することにより構築されている。
建物本体２の一階には、６個の建物ユニット６が、建物本体２の二階には、６個の建物ユニット７が配置されている。これらの建物ユニット６，７は、構造躯体として直方体状の骨組み２０を有するものである。
【００１２】
骨組み２０は、図２に示すように、四隅の柱２１と、これらの柱２１の上端の間を連結する長辺天井梁２２および短辺天井梁２３と、四本の柱２１の下端間を連結する長辺床梁２４および短辺床梁２５とを備えたものである。ここで、一対の長辺天井梁２２の間には、天井面材２６を取り付けるための複数の小梁２７が架け渡され、一対の長辺床梁２４の間には、床面材２８を取り付けるための複数の根太２９が架設されている。
このような骨組み２０の側面には、建物ユニット６の短辺側の外壁材３０と、長辺側の外壁材３１と、角部に沿って設けられる断面形状Ｌ字形のコーナー用外壁材３２と、長辺梁２２，２４を含む側面の端縁部分を覆う端縁用外壁材３３とが取り付けられるようになっている。
【００１３】
図３には、外壁材３１の取付構造が示されている。外壁材３１の裏面の四隅には、埋め込みナット３４がそれぞれ設けられている。
一方、骨組み２０に設けられた長辺天井梁２２および長辺床梁２４には、外壁材３１の埋め込みナット３４に対応して、長孔３５Ａを有するブラケット３５が設けられている。ブラケット３５の長孔３５Ａにボルト３６を挿通し、外壁材３１の埋め込みナット３４に螺合させることにより、外壁材３１が骨組み２０に取り付けられるようになっている。
このような外壁材３１同士は、図１の如く、それぞれ上下に配列され、それらの間に、目地３が形成されている。目地３には、図４に示されるように、一階部分の外壁材３１Ａの上端面と、二階部分の外壁材３１Ｂの下端面との間に介装されたバックアップ材Ｂと、このバックアップ材Ｂの上から充填されたコーキング剤Ｃとが設けられている。
外壁材３０は、外壁材３１と同様の取付構造により、骨組み２０の短辺天井梁２３および短辺床梁２５に取り付けられるようになっている。
また、外壁材３０同士は、外壁材３１同様に、それぞれ上下に配列され、それらの間に、目地３が形成されている。この目地３には、前述したように、バックアップ材Ｂおよびコーキング剤Ｃが設けられている。
【００１４】
図５には、コーナー用外壁材３２の取付構造が示されている。図５において、外壁材３２の上端側には、外壁材３２の上端面４４Ａから裏面４５にかけて上方段付部４６Ａが設けられている。この上方段付部４６Ａには、埋め込みナット４７が設けられている。
外壁材３２の下端側には、上端側と同様に、下端面４４Ｂから裏面４５にかけて下方段付部４６Ｂが設けられ、この下方段付部４６Ｂには、上方段付部４６Ａと同様に、埋め込みナット４７が設けられている。
一方、骨組み２０の一部である柱２１には、外壁材３２の段付部４６Ａ，４６Ｂに対応して、水平方向へ突出する上方ブラケット４９Ａおよび下方ブラケット４９Ｂが上下に間隔を置いて設けられている。上方ブラケット４９Ａおよび下方ブラケット４９Ｂの各々には、ボルト挿通孔５０が設けられている。
上方ブラケット４９Ａの下面に外壁材３２の上方段付部４６Ａを当接させるとともに、下方ブラケット４９Ｂの上面に外壁材３２の下方段付部４６Ｂを当接させた状態で、上方ブラケット４９Ａおよび下方ブラケット４９Ｂの各ボルト挿通孔５０に挿通させたボルト４８を外壁材３２の埋め込みナット４７に螺合させることにより、外壁材３２が骨組み２０に取り付けられるようになっている。
【００１５】
このようなコーナー用外壁材３２の上方段付部４６Ａの内部には、図６に示されるように、当該上方段付部４６Ａに応じた形状の詰め物Ｆ１が設けられている。この詰め物Ｆ１は、ポリエチレン発泡体から形成され、コーナー用外壁材３２の上端面４４Ａを平坦にし、当該上端面４４Ａの上に配置されるバックアップ材Ｂが上方段付部４６Ａの内部に沈み込むのを防止するためのものである。
このようなコーナー用外壁材３２は、前述の外壁材３１と同様に、上方に別のコーナー用外壁材３２が設けられ、コーナー用外壁材３２同士の間に形成される目地には、外壁材３１同士の目地３と同様に、バックアップ材Ｂおよびコーキング剤が設けられる。
【００１６】
図７には、端縁用外壁材３３の取付構造が示されている。図７において、外壁材３３の上端側には、外壁材３３の上端面５４Ａから裏面５５にかけて上方段付部５６Ａが設けられている。この上方段付部５６Ａには、埋め込みナット４７が設けられている。
外壁材３３の下端側には、上端側と同様に、下端面５４Ｂから裏面４５にかけて下方段付部５６Ｂが設けられ、この下方段付部５６Ｂには、上方段付部５６Ａと同様に、埋め込みナット４７が設けられている。
一方、端縁用外壁材３３の裏側の柱２１には、外壁材３３の段付部５６Ａ，５６Ｂに対応して、水平方向へ突出する上方ブラケット５９Ａおよび下方ブラケット５９Ｂが上下に間隔を置いて設けられている。上方ブラケット５９Ａおよび下方ブラケット５９Ｂの各々には、ボルト挿通孔６０が設けられている。
上方ブラケット５９Ａの下面に外壁材３３の上方段付部５６Ａを当接させるとともに、下方ブラケット５９Ｂの上面に外壁材３３の下方段付部５６Ｂを当接させた状態で、上方ブラケット５９Ａおよび下方ブラケット５９Ｂの各ボルト挿通孔６０に挿通させたボルト４８を外壁材３３の埋め込みナット４７に螺合させることにより、外壁材３３が骨組み２０に取り付けられるようになっている。
【００１７】
このような端縁用外壁材３３の上方段付部５６Ａの内部には、図８に示されるように、当該上方段付部５６Ａに応じた形状の詰め物Ｆ２が設けられている。この詰め物Ｆ２は、ポリエチレン発泡体から形成され、端縁用外壁材３３の上端面５４Ａを平坦にし、当該上端面５４Ａの上に配置されるバックアップ材Ｂが上方段付部５６Ａの内部に沈み込むのを防止するためのものである。
このような端縁用外壁材３３は、前述の外壁材３１と同様に、上方に別の端縁用外壁材３３が設けられ、端縁用外壁材３３同士の間に形成される目地には、外壁材３１同士の目地３と同様に、バックアップ材Ｂおよびコーキング剤が設けられる。
【００１８】
前述のような本実施形態によれば、次のような効果が得られる。
すなわち、外壁材３２に、骨組み２０への取付けのために、上端面４４Ａから裏面４５にかけて上方段付部４６Ａを設け、この上方段付部４６Ａの内部に、この上方段付部４６に応じた形状の詰め物Ｆ１を配置して、この詰め物Ｆ１の上方に配置される別の外壁材３２との間に、バックアップ材Ｂを介装するようにしたので、外壁材３２の上方段付部４６Ａの内部に設けられた詰め物Ｆ１により、外壁材３２の上端面４４Ａが平坦となり、上下に隣接する外壁材３２の間の目地の中にバックアップ材Ｂが留まり、このバックアップ材Ｂで目地の裏側からコーキング剤Ｃが抜け出ないように塞き止めることができる。
従って、従来の目地構造におけるように段付部の内部にバックアップ材Ｂが落ちて、目地の裏側からコーキング剤Ｃが抜け出るといった目地処理上の不具合を防止できる。
【００１９】
また、外壁材３２に上方段付部４６Ａおよび下方段付部４６Ｂを設け、これに応じ、骨組み２０に上方ブラケット４９Ａおよび下方ブラケット４９Ｂを設け、上方ブラケット４９Ａの下面に上方段付部４６Ａを当接させるとともに、下方ブラケット４９Ｂの上面に下方段付部４６Ｂを当接させた状態で、外壁材３２を骨組み２０に取り付けるようにしたので、ユニット式建物１自身の荷重が骨組み２０を介して外壁材３２へ伝達されず、かつ、地震などにより発生する外力で外壁材３２が水平方向へ移動する移動量も少なくなるので、目地を塞ぐコーキング剤が破壊されにくくなる。
【００２０】
さらに、建物ユニット６，７に、外壁材として、平面視で骨組み２０の角部に沿って設けられる、断面形状Ｌ字形のコーナー用外壁材３２を設けたので、建物ユニット６，７のコーナー部分においても、外壁材３０，３１とは、側端面同士が突き合わされるようになり、水平方向の外力により、外壁材３０，３１が多少振動しても、水平方向に延びる縦目地には剪断力が加わらず、多少の地震では、コーキング剤Ｃが破損しない。
【００２１】
また、建物ユニット６，７に、外壁材として、骨組み２０の端縁部分を覆うとともに、柱に沿って端縁用外壁材３３を設けたので、平板状の標準的な外壁材３０，３１に端縁用外壁材３３を継ぎ足すことにより、様々な寸法の外壁の形成が可能となり、これにより、外壁材の種類が低減され、外壁材３１の製造効率を向上することができる。
【００２２】
さらに詰め物Ｆ１は、合成樹脂、具体的には、ポリエチレンの発泡体から形成したので、上方段付部４６Ａに詰め込む作業が容易となる程度の柔軟性が確保されるとともに、上方段付部４６Ａの内部にバックアップ材Ｂが落ち込まない程度のかたさが確保され、目地処理作業の作業性を損なわずに、目地の裏側からコーキング剤Ｃが抜け出るといった目地処理上の不具合を有効に防止できる。
【００２３】
以上、本発明について好適な実施形態を挙げて説明したが、本発明は、この実施形態に限られるものではなく、本発明の要旨を逸脱しない範囲において、種々の改良並びに設計の変更が可能である。
例えば、詰め物の材質としては、ポリエチレンの発泡体が望ましいが、他の合成樹脂の発泡体でもよく、さらに、外壁材の形状材質によっては、発泡していない合成樹脂やゴム、あるいは、他の材質、例えば、金属および木でもよい。
また、コーナー用外壁材としては、建物の出隅部分に設けられるコーナー用外壁材３２に限らず、図９に示されるように、建物の入隅部分に設けられるコーナー用外壁材３２Ａでもよい。
【００２４】
【発明の効果】
上述のように、本発明によれば、コーキング剤の充填を容易かつ確実に行うことができる。
【図面の簡単な説明】
【図１】本発明の実施の一形態に係るユニット式建物を示す斜視図である。
【図２】前記実施形態に係る建物ユニットの骨組みを示す拡大斜視図である。
【図３】前記実施形態の標準外壁材の取付構造を示す分解斜視図である。
【図４】前記実施形態の標準外壁材の目地を示す断面図である。
【図５】前記実施形態のコーナー用外壁材を示す分解斜視図である。
【図６】前記実施形態のコーナー用外壁材の上方段付部を示す拡大斜視図である。
【図７】前記実施形態の端縁用外壁材を示す分解斜視図である。
【図８】前記実施形態の端縁用外壁材の上方段付部を示す拡大斜視図である。
【図９】本発明の変形例を示す図６と同様の図である。
【符号の説明】
１  ユニット式建物
６，７  建物ユニット
２０  骨組み
２１  柱
３２  コーナー用外壁材
３２Ａ  コーナー用外壁材（入隅部分用）
３３  端縁用外壁材
４４Ａ，５４Ａ  上端面
４４Ｂ，５４Ｂ  下端面
４５，５５  裏面
４６Ａ，５６Ａ  上方段付部
４６Ｂ，５６Ｂ  下方段付部
４９Ａ，５９Ａ  上方ブラケット
４９Ｂ，５９Ｂ  下方ブラケット
Ｂ  バックアップ材
Ｃ  コーキング剤
Ｆ１，Ｆ２  詰め物
【図１】
0004072258.tif 000002
【図２】
0004072258.tif 000003
【図３】
0004072258.tif 000004
【図４】
0004072258.tif 000005
【図５】
0004072258.tif 000006
【図６】
0004072258.tif 000007
【図７】
0004072258.tif 000008
【図８】
0004072258.tif 000009
【図９】
0004072258.tif 000010